(57)【要約】【課題】  伝送経路上の複数の箇所の光信号の品質を測定することができる信号品質測定装置及び信号品質測定方法を提供する。【解決手段】  信号品質測定装置は、送信器から複数のＷＳＳ及び複数の光増幅器を通過して受信器で受信される光信号の品質を測定し、ＷＳＳの各通過帯域を設定する設定処理部と、受信された光信号の中心波長を含む第１波長帯域内の第１パワーと隣接する第２波長帯域内の第２パワーとを取得することにより光信号の品質を算出する算出部とを有し、算出部は、設定処理部がＷＳＳの各通過帯域を、第１及び第２波長帯域を含む波長帯域とすることにより第２パワーから光増幅器の各ＡＳＥを合わせたパワーを検出し、第１及び第２パワーから光信号のパワーを検出し、設定処理部がＷＳＳの１つの通過帯域を第１波長帯域とすることにより第２パワーからＷＳＳと受信器の間の光増幅器のＡＳＥのパワーを検出し、検出パワーから光信号の品質を算出する。【選択図】図４
2018170562.tif 000002
【特許請求の範囲】
【請求項１】
送信器から送信され複数の波長選択スイッチ及び複数の光増幅器を通過して受信器で受信される光信号の品質を測定する信号品質測定装置において、
前記複数の波長選択スイッチの各通過帯域を設定する設定処理部と、
前記受信器により受信された前記光信号の中心波長を含む第１波長帯域内の光成分の第１パワーと前記第１波長帯域に隣接する第２波長帯域内の光成分の第２パワーとを取得することにより前記光信号の品質を算出する算出部とを有し、
前記算出部は、
前記設定処理部が前記複数の波長選択スイッチの各通過帯域を、前記第１波長帯域及び前記第２波長帯域を含む波長帯域とすることにより、前記第２パワーから前記複数の光増幅器の各々の自然放出光を合わせたパワーを検出し、前記第１パワー及び前記第２パワーから前記光信号のパワーを検出し、
前記設定処理部が、前記複数の波長選択スイッチの１つの通過帯域を前記第１波長帯域とすることにより、前記第２パワーから、前記複数の光増幅器のうち、前記複数の波長選択スイッチの１つと前記受信器の間の１以上の光増幅器の自然放出光のパワーを検出し、
該検出した各パワーから前記光信号の品質を算出することを特徴とする信号品質測定装置。
【請求項２】
前記設定処理部は、前記複数の波長選択スイッチの１つの通過帯域を前記第１波長帯域としたとき、前記複数の波長選択スイッチの１つと前記受信器の間に他の波長選択スイッチが存在する場合、前記他の波長選択スイッチの通過帯域を、前記第１波長帯域及び前記第２波長帯域を含む波長帯域とすることを特徴とする請求項１に記載の信号品質測定装置。
【請求項３】
前記算出部は、前記設定処理部が、前記複数の波長選択スイッチの１つを順次に選択し、該選択した前記複数の波長選択スイッチの１つの通過帯域を前記第１波長帯域とすることにより、前記複数の波長選択スイッチの各々の出力端における前記光信号の品質を算出することを特徴とする請求項１または２に記載の信号品質測定装置。
【請求項４】
前記算出部は、前記複数の光増幅器の各々の自然放出光を合わせたパワーから、前記複数の波長選択スイッチの１つと前記受信器の間の前記１以上の光増幅器の自然放出光のパワーを減算し、該減算で得た値と前記光信号のパワーの比を算出することを特徴とする請求項１乃至３の何れかに記載の信号品質測定装置。
【請求項５】
前記算出部は、前記送信器、前記複数の波長選択スイッチ、及び前記受信器により区切られる区間ごとに前記光信号の品質を算出し、前記区間ごとの前記光信号の品質から雑音指数を算出することを特徴とする請求項１乃至４の何れかに記載の信号品質測定装置。
【請求項６】
前記光信号はＣＷ光であることを特徴とする請求項１乃至５の何れかに記載の信号品質測定装置。
【請求項７】
送信器から送信され複数の波長選択スイッチ及び複数の光増幅器を通過して受信器で受信される光信号の品質を測定する信号品質測定方法において、
前記受信器により受信された前記光信号の中心波長を含む第１波長帯域内の光成分の第１パワーと前記第１波長帯域に隣接する第２波長帯域内の光成分の第２パワーを取得し、
前記複数の波長選択スイッチの各通過帯域を、前記第１波長帯域及び前記第２波長帯域を含む波長帯域とすることにより、前記第２パワーから前記複数の光増幅器の各々の自然放出光を合わせたパワーを検出し、前記第１パワー及び前記第２パワーから前記光信号のパワーを検出し、
前記複数の波長選択スイッチの１つの通過帯域を前記第１波長帯域とすることにより、前記第２パワーから、前記複数の光増幅器のうち、前記複数の波長選択スイッチの１つと前記受信器の間の１以上の光増幅器の自然放出光のパワーを検出し、
該検出した各パワーから前記光信号の品質を算出することを特徴とする信号品質測定方法。
【発明の詳細な説明】
【技術分野】
【０００１】
本件は、信号品質測定装置及び信号品質測定方法に関する。
【背景技術】
【０００２】
光信号の品質として、例えば光信号対雑音比（OSNR: Optical Signal-To-Noise Ratio）が知られている。例えば特許文献１及び２には、ＯＳＮＲの測定に関する技術が開示されている。
【先行技術文献】
【特許文献】
【０００３】
【特許文献１】特開２００９−１９８３６４号公報
【特許文献２】米国特許第６，４３３，８６４号
【発明の概要】
【発明が解決しようとする課題】
【０００４】
ネットワーク設計は、例えば光信号のビットレート及び変調方式や光ファイバの性能などの各種のパラメータに基づき行われるが、これらのパラメータは、実測値ではなく、事前に与えられた値であるため、設計の精度が低く、例えば伝送距離が期待値より短くなるおそれがある。このため、例えばＯＳＮＲなどの光信号の品質を予め実際に測定しておき、ネットワーク設計に用いることが好ましい。
【０００５】
例えば特許文献１の技術によると、送信器から受信器まで伝送された光信号のＯＳＮＲを測定することは可能であるが、伝送経路の途中の光信号のＯＳＮＲを測定することができないため、ネットワーク設計の精度を効果的に向上することは難しい。また、特許文献２の技術によると、伝送路上の複数の箇所にモニタ装置をそれぞれ設けることにより複数の箇所の光信号のＯＳＮＲを測定することは可能であるが、複数台のモニタ装置を用いるため、コストが増加するおそれがある。
【０００６】
そこで本件は、伝送経路上の複数の箇所の光信号の品質を測定することができる信号品質測定装置及び信号品質測定方法を提供することを目的とする。
【課題を解決するための手段】
【０００７】
１つの態様では、信号品質測定装置は、送信器から送信され複数の波長選択スイッチ及び複数の光増幅器を通過して受信器で受信される光信号の品質を測定する信号品質測定装置において、前記複数の波長選択スイッチの各通過帯域を設定する設定処理部と、前記受信器により受信された前記光信号の中心波長を含む第１波長帯域内の光成分の第１パワーと前記第１波長帯域に隣接する第２波長帯域内の光成分の第２パワーとを取得することにより前記光信号の品質を算出する算出部とを有し、前記算出部は、前記設定処理部が前記複数の波長選択スイッチの各通過帯域を、前記第１波長帯域及び前記第２波長帯域を含む波長帯域とすることにより、前記第２パワーから前記複数の光増幅器の各々の自然放出光を合わせたパワーを検出し、前記第１パワー及び前記第２パワーから前記光信号のパワーを検出し、前記設定処理部が、前記複数の波長選択スイッチの１つの通過帯域を前記第１波長帯域とすることにより、前記第２パワーから、前記複数の光増幅器のうち、前記複数の波長選択スイッチの１つと前記受信器の間の１以上の光増幅器の自然放出光のパワーを検出し、該検出した各パワーから前記光信号の品質を算出する。
【０００８】
１つの態様では、信号品質測定方法は、送信器から送信され複数の波長選択スイッチ及び複数の光増幅器を通過して受信器で受信される光信号の品質を測定する信号品質測定方法において、前記受信器により受信された前記光信号の中心波長を含む第１波長帯域内の光成分の第１パワーと前記第１波長帯域に隣接する第２波長帯域内の光成分の第２パワーを取得し、前記複数の波長選択スイッチの各通過帯域を、前記第１波長帯域及び前記第２波長帯域を含む波長帯域とすることにより、前記第２パワーから前記複数の光増幅器の各々の自然放出光を合わせたパワーを検出し、前記第１パワー及び前記第２パワーから前記光信号のパワーを検出し、前記複数の波長選択スイッチの１つの通過帯域を前記第１波長帯域とすることにより、前記第２パワーから、前記複数の光増幅器のうち、前記複数の波長選択スイッチの１つと前記受信器の間の１以上の光増幅器の自然放出光のパワーを検出し、該検出した各パワーから前記光信号の品質を算出する。
【発明の効果】
【０００９】
１つの側面として、伝送経路上の複数の箇所の光信号の品質を測定することができる。
【図面の簡単な説明】
【００１０】
【図１】ネットワークシステムの一例を示す構成図である。
【図２】受信器の一例を示す構成図である。
【図３】伝送経路の受信端の光信号のＯＳＮＲの測定処理の一例を示す図である。
【図４】伝送経路の途中の光信号のＯＳＮＲの測定処理の一例を示す図である。
【図５】伝送経路の途中の光信号のＯＳＮＲの測定処理の他の例を示す図である。
【図６】信号品質測定装置の一例を示す構成図である。
【図７】信号品質測定方法の一例を示すフローチャートである。
【図８】波長選択スイッチの通過帯域の設定の例を示すスペクトル波形図である。
【図９】ＣＷ（Continuous Wave）光を用いた場合のスペクトル波形図である。
【発明を実施するための形態】
【００１１】
図１は、ネットワークシステムの一例を示す構成図である。ネットワークシステムは、信号品質測定装置１と、ネットワーク監視制御装置２と、ＲＯＡＤＭ（Re-configurable Optical Add/Drop Multiplexer）３０〜３２とを含む。
【００１２】
ＲＯＡＤＭ３０〜３２は、伝送装置の一例であり、中心波長が相違する複数の光信号を波長多重して伝送する。ＲＯＡＤＭ３０〜３２は、送信器３０５，３１５ｂから送信された光信号を波長多重光信号に多重するアド（add）機能と、波長多重光信号から受信器３１５ａ，３２５の受信対象の光信号を分離するドロップ（drop）機能とを有する。
【００１３】
一例として、ＲＯＡＤＭ３０はノード＃１に設けられ、ＲＯＡＤＭ３１はノード＃２に設けられ、ＲＯＡＤＭ３２はノード＃ｎ（ｎ：３以上の整数）に設けられている。なお、ノード＃２とノード＃ｎの間に存在するノードのＲＯＡＤＭは図示を省略する。
【００１４】
各ＲＯＡＤＭ３０〜３２は、例えばＬＡＮ（Local Area Network）により構成された制御用ネットワーク９０を介してネットワーク監視制御装置２と通信する。ネットワーク監視制御装置２は、例えばサーバにより構成され、各ＲＯＡＤＭ３０〜３２を監視制御する。
【００１５】
信号品質測定装置１は、例えばサーバにより構成され、ＲＯＡＤＭ３０〜３２により伝送される光信号の品質を測定する。信号品質測定装置１は、品質の測定処理において、ネットワーク監視制御装置２及び制御用ネットワーク９０を介してＲＯＡＤＭ３０〜３２と通信する。なお、本例では、光信号の品質としてＯＳＮＲを挙げるが、これに限定されない。
【００１６】
また、各ＲＯＡＤＭ３０〜３２は、光ファイバの伝送路９１により互いに直列に接続されているが、これに限定されず、メッシュ状またはリング状のネットワークを構成するように互いに接続されてもよい。以下にＲＯＡＤＭ３０〜３２の構成について述べる。
【００１７】
ＲＯＡＤＭ３０は、装置制御部３００と、波長選択スイッチ（WSS: Wavelength Selective Switch）３０２と、光増幅器３０１，３０３ａ，３０３ｂと、マルチキャストスイッチ（MCS: MultiCast Switch）３０４と、複数の送信器（Ｔｘ）３０５とを有する。なお、ＲＯＡＤＭ３０の構成としては、隣接ノード＃２の方路への波長多重光信号に対するアド機能に関する構成のみが図示されおり、他の構成は図示は省略されている。
【００１８】
装置制御部３００は、例えばＣＰＵ（Central Processing Unit）回路などから構成され、ＲＯＡＤＭ３０の伝送処理を制御する。送信器３０５は、例えばレーザダイオードや光変調器などから構成され、例えばデジタルコヒーレント光伝送方式により所定の波長の光信号を送信する。複数の送信器３０５は波長が相違する光信号を送信する。各光信号はＭＣＳ３０４に入力される。
【００１９】
ＭＣＳ３０４は、光スイッチの一例であり、例えばプレーナ光波回路などから構成される。ＭＣＳ３０４は、装置制御部３００からの設定に応じた出力ポートから各光信号を出力する。各出力ポートは、光増幅器３０３ａ，３０３ｂに接続されている。
【００２０】
光増幅器３０３ａ，３０３ｂは、例えばエルビウムドープトファイバ（EDFA: Erbium Doped Fiber）などから構成され、光信号を増幅する。このとき、光信号には、ＥＤＦＡから、雑音成分である自然放出光（ASE: Amplified Spontaneous Emission）が重畳される。光増幅器３０３ａにより増幅された光信号は、ＷＳＳ３０２に入力される。また、光増幅器３０３ｂにより増幅された光信号は、他方路のＷＳＳ（不図示）に入力される。
【００２１】
ＷＳＳ３０２は、光フィルタとして機能し、光信号の中心波長に対応するチャネルごとに通過帯域を有する。ＷＳＳ３０２の通過帯域は、装置制御部３００からチャネルごとに設定される。ＷＳＳ３０２は、光増幅器３０３ａから入力された光信号を、他方路から入力された光信号（または波長多重光信号）に波長多重して光増幅器３０１に出力する。つまり、ＷＳＳ３０２は、複数の入力ポートからそれぞれ入力された複数の光信号から選択した光信号を波長多重して出力する。
【００２２】
光増幅器３０１は、例えばエルビウムドープトファイバ（ＥＤＦＡ）などから構成され、光信号を増幅する。このとき、光信号には、ＥＤＦＡから、雑音成分である自然放出光（ＡＳＥ）が重畳される。光増幅器３０１により増幅された光信号は、伝送路９１を介してノード＃２のＲＯＡＤＭ３１に入力される。
【００２３】
ＲＯＡＤＭ３１は、装置制御部３１０と、波長選択スイッチ（ＷＳＳ）３１２ａ，３１２ｂと、光増幅器３１１ａ，３１１ｂ，３１３ａ〜３１３ｄと、マルチキャストスイッチ（ＭＣＳ）３１４ａ，３１４ｂと、複数の受信器（Ｒｘ）３１５ａと、複数の送信器（Ｔｘ）３１５ｂとを有する。なお、ＲＯＡＤＭ３１の構成としては、隣接ノード＃１の方路からの波長多重光信号に対するドロップ機能、及び隣接ノード＃３の方路への波長多重光信号に対するアド機能に関する構成のみが図示されおり、他の構成は図示は省略されている。
【００２４】
装置制御部３１０は、例えばＣＰＵ回路などから構成され、ＲＯＡＤＭ３１の伝送処理を制御する。隣接ノード＃１のＲＯＡＤＭ３０からの波長多重光信号は光増幅器３１１ａに入力される。
【００２５】
光増幅器３１１ａは、例えばエルビウムドープトファイバ（ＥＤＦＡ）などから構成され、波長多重光信号を増幅する。このとき、波長多重光信号には、ＥＤＦＡから、雑音成分である自然放出光（ＡＳＥ）が重畳される。光増幅器３１１ａにより増幅された光信号は、ＷＳＳ３１２ａに入力される。
【００２６】
ＷＳＳ３１２ａは、光フィルタとして機能し、光信号の中心波長に対応するチャネルごとに通過帯域を有する。ＷＳＳ３１２ａの通過帯域は、装置制御部３１０からチャネルごとに設定される。ＷＳＳ３１２ａは、光増幅器３１１ａから入力された波長多重光信号に波長多重された複数の光信号のうち、装置制御部３１０からの設定に応じたチャネルの光信号を光増幅器３１３ｂに出力し、他の光信号（または波長多重光信号）を他方のＷＳＳ３１２ｂに出力する。
【００２７】
つまり、ＷＳＳ３１２ａは、入力ポートからそれぞれ入力された波長多重光信号に含まれる複数の光信号から選択した光信号を分離して各出力ポートから出力する。また、他方路のＷＳＳ（不図示）により分離された光信号は光増幅器３１３ａに入力される。
【００２８】
光増幅器３１３ａ，３１３ｂは、例えばエルビウムドープトファイバ（ＥＤＦＡ）などから構成され、光信号を増幅する。このとき、光信号には、ＥＤＦＡから、雑音成分である自然放出光（ＡＳＥ）が重畳される。光増幅器３１３ａ，３１３ｂにより増幅された光信号は、ＭＣＳ３１４ａに入力される。
【００２９】
ＭＣＳ３１４ａは、光スイッチの一例であり、例えばプレーナ光波回路などから構成される。ＭＣＳ３１４ａは、装置制御部３１０からの設定に応じた出力ポートから各光信号を出力する。各出力ポートは、複数の受信器３１５ａに接続されている。
【００３０】
受信器３１５ａは、例えばフォトダイオードなどから構成され、光信号を受信する。受信器３１５ａは、光信号のパワー及びＡＳＥのパワーを測定して、測定値を装置制御部３１０に通知する。装置制御部３１０は、測定値を制御用ネットワーク９０及びネットワーク監視制御装置２を介して信号品質測定装置１に送信する。なお、受信器３１５ａの構成の詳細については後述する。
【００３１】
送信器３１５ｂは、例えばレーザダイオードや光変調器などから構成され、所定の波長の光信号を送信する。複数の送信器３１５ｂは波長が相違する光信号を送信する。各光信号はＭＣＳ３１４ｂに入力される。
【００３２】
ＭＣＳ３１４ｂは、光スイッチの一例であり、例えばプレーナ光波回路などから構成される。ＭＣＳ３１４ｂは、装置制御部３１０からの設定に応じた出力ポートから各光信号を出力する。各出力ポートは、光増幅器３１３ｃ，３１３ｄに接続されている。
【００３３】
光増幅器３１３ｃ，３１３ｄは、例えばエルビウムドープトファイバ（ＥＤＦＡ）などから構成され、光信号を増幅する。このとき、光信号には、ＥＤＦＡから、雑音成分である自然放出光（ＡＳＥ）が重畳される。光増幅器３１３ｄにより増幅された光信号は、ＷＳＳ３１２ｂに入力される。また、光増幅器３１３ｃにより増幅された光信号は、他方路のＷＳＳ（不図示）に入力される。
【００３４】
ＷＳＳ３１２ｂは、光フィルタとして機能し、光信号の中心波長に対応するチャネルごとに通過帯域を有する。ＷＳＳ３１２ｂの通過帯域は、装置制御部３１０からチャネルごとに設定される。ＷＳＳ３１２ｂは、ＷＳＳ３１２ａから入力された光信号と、光増幅器３１３ｄから入力された光信号を、他方路から入力された光信号（または波長多重光信号）に波長多重して光増幅器３１１ｂに出力する。つまり、ＷＳＳ３１２ｂは、複数の入力ポートからそれぞれ入力された複数の光信号から選択した光信号を波長多重して出力する。
【００３５】
光増幅器３１１ｂは、例えばエルビウムドープトファイバ（ＥＤＦＡ）などから構成され、光信号を増幅する。このとき、光信号には、ＥＤＦＡから、雑音成分である自然放出光（ＡＳＥ）が重畳される。光増幅器３１１ｂにより増幅された光信号は、伝送路９１を介してノード＃３のＲＯＡＤＭ（不図示）に入力される。
【００３６】
このようにして、波長多重光信号は伝送されノード＃ｎのＲＯＡＤＭ３２に入力される。
【００３７】
ＲＯＡＤＭ３２は、装置制御部３２０と、波長選択スイッチ（ＷＳＳ）３２２と、光増幅器３２１，３２３ａ，３２３ｂと、マルチキャストスイッチ（ＭＣＳ）３２４と、複数の受信器（Ｒｘ）３２５とを有する。なお、ＲＯＡＤＭ３２の構成としては、隣接ノード＃（ｎ−１）の方路からの波長多重光信号に対するドロップ機能に関する構成のみが図示されおり、他の構成は図示は省略されている。
【００３８】
装置制御部３２０は、例えばＣＰＵ回路などから構成され、ＲＯＡＤＭ３２の伝送処理を制御する。隣接ノード＃（ｎ−１）のＲＯＡＤＭからの波長多重光信号は光増幅器３２１に入力される。
【００３９】
ＷＳＳ３２２は、光フィルタとして機能し、光信号の中心波長に対応するチャネルごとに通過帯域を有する。ＷＳＳ３２２の通過帯域は、装置制御部３２０からチャネルごとに設定される。ＷＳＳ３２２は、光増幅器３２１から入力された波長多重光信号に波長多重された複数の光信号のうち、装置制御部３２０からの設定に応じたチャネルの光信号を光増幅器３２３ａに出力し、他の光信号（または波長多重光信号）を他の方路のＷＳＳ（不図示）に出力する。
【００４０】
つまり、ＷＳＳ３２２は、入力ポートからそれぞれ入力された波長多重光信号に含まれる複数の光信号から選択した光信号を分離して各出力ポートから出力する。また、他方路のＷＳＳ（不図示）により分離された光信号は光増幅器３２３ｂに入力される。
【００４１】
光増幅器３２３ａ，３２３ｂは、例えばエルビウムドープトファイバ（ＥＤＦＡ）などから構成され、光信号を増幅する。このとき、光信号には、ＥＤＦＡから、雑音成分である自然放出光（ＡＳＥ）が重畳される。光増幅器３２３ａ，３２３ｂにより増幅された光信号は、ＭＣＳ３２４に入力される。
【００４２】
ＭＣＳ３２４は、光スイッチの一例であり、例えばプレーナ光波回路などから構成される。ＭＣＳ３２４は、装置制御部３２０からの設定に応じた出力ポートから各光信号を出力する。各出力ポートは、複数の受信器３２５に接続されている。
【００４３】
受信器３２５は、例えばフォトダイオードなどから構成され、光信号を受信する。受信器３２５は、光信号のパワー及びＡＳＥのパワーを測定して、測定値を装置制御部３２０に通知する。装置制御部３２０は、測定値を制御用ネットワーク９０及びネットワーク監視制御装置２を介して信号品質測定装置１に送信する。
【００４４】
信号品質測定装置１は、特定のノード間を伝送される光信号を選択し、その品質を測定する。信号品質測定装置１は、例えばノード＃１とノード＃２の間の光信号を選択した場合、点線で示される伝送経路Ｒａに沿って伝送される光信号のＯＳＮＲを測定する。
【００４５】
この場合、信号品質測定装置１は、伝送経路Ｒａ上のＷＳＳ３０２，３１２ａの通過帯域を設定し、伝送経路Ｒａ上の受信器３１５ａから、受信器３１５ａで測定された該当光チャネル内の所定波長のパワーを取得する。信号品質測定装置１は、ＷＳＳ３０２，３１２ａの通過帯域を設定することより、取得したパワーから光信号のパワー、及び光増幅器３０３ａ，３０１，３１１ａ，３１３ｂのＡＳＥのパワーを検出し、伝送経路Ｒａ上の複数の箇所における光信号のＯＳＮＲを算出する。
【００４６】
また、信号品質測定装置１は、例えばノード＃１とノード＃ｎの間の光信号を選択した場合、一点鎖線で示される伝送経路Ｒｂに沿って伝送される光信号のＯＳＮＲを測定する。この場合、信号品質測定装置１は、伝送経路Ｒｂ上のＷＳＳ３０２，３１２ａ，３１２ｂ，３２２などの通過帯域を設定し、伝送経路Ｒｂ上の受信器３２５から、受信器３２５で測定された該当光チャネル内の所定波長のパワーを取得する。信号品質測定装置１は、ＷＳＳ３０２，３１２ａ，３１２ｂ，３２２などの通過帯域を設定することより、取得したパワーから光信号のパワー、及び光増幅器３０３ａ，３０１，３１１ａ，３１１ｂ，３２１，３２３ａなどのＡＳＥのパワーを検出し、伝送経路Ｒｂ上の複数の箇所における光信号のＯＳＮＲを算出する。
【００４７】
このように、信号品質測定装置１は、送信器３０５から送信され複数のＷＳＳ３０２，３１２ａ，３１２ｂ，３２２及び複数の光増幅器３０３ａ，３０１，３１１ａ，３１１ｂ，３１３ｂ，３２１，３２３ａを通過して受信器３１５ａ，３２５で受信される光信号のＯＳＮＲを測定する。なお、以下の説明では、伝送経路Ｒａの光信号のＯＳＮＲの算出を例に挙げるが、伝送経路Ｒｂの光信号についても同様にＯＳＮＲの算出が可能である。
【００４８】
図２は、受信器３１５ａ，３２５の一例を示す構成図である。受信器３１５ａ，３２５は、光信号の受信処理を行う受信部７０と、受信した光信号のスペクトルを解析して所定波長のパワーを測定するモニタ部７１とを有する。
【００４９】
受信部７０は、信号処理回路２０と、ＡＤＣ（Analog-to-Digital Convertor）２２ａ〜２２ｄと、コヒーレント受信器２９とを有する。コヒーレント受信器２９は、光源２１と、ＰＤ（PhotoDiode）２３ａ〜２３ｄと、９０度光ハイブリッド回路２４０，２４１と、ＰＢＳ２５，２６とを有する。
【００５０】
ＰＢＳ２６は、光信号をＸ軸成分及びＹ軸成分に分離して９０度光ハイブリッド回路２４０，２４１にそれぞれ出力する。また、光源２１は、局発光ＬＯｒをＰＢＳ２５に入力する。ＰＢＳ２５は、局発光ＬＯｒをＸ軸成分及びＹ軸成分に分離して９０度光ハイブリッド回路２４０，２４１にそれぞれ出力する。
【００５１】
９０度光ハイブリッド回路２４０は、光信号のＸ軸成分及び局発光ＬＯｒのＸ軸成分を干渉させるための導波路を有し、光信号のＸ軸成分を検波する。９０度光ハイブリッド回路２４０は、検波結果として、同相成分及び直交位相成分の振幅及び位相に応じた光成分をＰＤ２３ａ，２３ｂにそれぞれ出力する。
【００５２】
９０度光ハイブリッド回路２４１は、光信号のＸ軸成分及び局発光ＬＯｒの軸成分を干渉させるための導波路を有し、光信号のＹ軸成分を検波する。９０度光ハイブリッド回路２４１は、検波結果として、同相成分及び直交位相成分の振幅及び位相に応じた光成分をＰＤ２３ｃ，２３ｄにそれぞれ出力する。
【００５３】
ＰＤ２３ａ〜２３ｄは、入力された光成分を電気信号に変換して、電気信号をＡＤＣ２２ａ〜２２ｄにそれぞれ出力する。ＡＤＣ２２ａ〜２２ｄは、ＰＤ２３ａ〜２３ｄから入力された電気信号をデジタル信号Ｘｉ，Ｘｑ，Ｙｉ，Ｙｑにそれぞれ変換する。デジタル信号Ｘｉ，Ｘｑ，Ｙｉ，Ｙｑは信号処理回路２０に入力される。信号処理回路２０は、例えば、伝送路９１で光信号に生じた波長分散や非線形光学効果を補償し、光信号を復調して出力する。なお、信号処理回路２０は、例えばＤＳＰ（Digital Signal Processor）などにより構成されるが、これに限定されず、例えばＦＰＧＡ（Field Programmable Gate Array）により構成されてもよい。
【００５４】
モニタ部７１には、ＡＤＣ２２ａ〜２２ｄから信号処理回路２０に出力されるデジタル信号Ｘｉ，Ｘｑ，Ｙｉ，Ｙｑが入力される。モニタ部７１は、ＦＦＴ（Fast Fourier Transform）部７１０及びパワー測定部７１１を有する。なお、ＦＦＴ部７１０及びパワー測定部７１１は、例えばＤＳＰやＦＰＧＡなどのハードウェアにより構成されるが、これに限定されず、例えばソフトウェアにより構成されてもよい。
【００５５】
ＦＦＴ部７１０は、デジタル信号Ｘｉ，Ｘｑ，Ｙｉ，Ｙｑを時間領域の信号から周波数領域の信号に変換してパワー測定部７１１に出力する。パワー測定部７１１は、周波数領域に変換されたデジタル信号Ｘｉ，Ｘｑ，Ｙｉ，Ｙｑのスペクトルを解析して所定波長のパワーを測定する。より具体的には、パワー測定部７１１は、光信号の該当チャネルに割り当てられた波長帯域内の波長λｓ，λａの各パワーを測定する。波長λｓ，λａは、例えば、信号品質測定装置１から装置制御部３１０，３２０を介し予め設定される。パワー測定部７１１は、パワーの測定値を、装置制御部３１０，３２０を介し信号品質測定装置１に通知する。
【００５６】
なお、パワーの測定手段として、モニタ部７１に代えて、光チャネルモニタ（OCM: Optical Channel Monitor）７２が用いられてもよい。ＯＣＭ７２は、光信号のチャネルの波長帯域内において波長λｓ，λａの各パワーを測定し、信号品質測定装置１に通知する。
【００５７】
ＯＣＭ７２としては、例えば、Ｄｉｃｏｎ社製の「MEMS Optical Channel Monitor」やＦｉｎｉｓａｒ社製の「Flexgrid High Resolution Optical Channel Monitor」などが挙げられる。前者は、周波数分解能が５０（GHz）であるため、例えば隣接チャネルとの間の帯域幅が大きい場合に用いられ、後者は、周波数分解能が６．２５（GHz）であるため、例えば隣接チャネルとの間の帯域幅が小さい場合に用いられる。
【００５８】
次に、伝送経路Ｒａの光信号のＯＳＮＲの測定処理について述べる。
【００５９】
図３は、伝送経路Ｒａの受信端の光信号のＯＳＮＲの測定処理の一例を示す図である。図３には、伝送経路Ｒａ上に存在する送信器３０５、光増幅器３０３ａ，３０１，３１１ａ，３１３ｂ、ＷＳＳ３０２，３１２ａ、及び受信器３１５ａが示されている。なお、ＭＣＳ３０４，３１４ａはＯＳＮＲに影響しないため、ＭＣＳ３０４，３１４ａによるパワーの損失はないと仮定する。
【００６０】
本例において、光増幅器３０３ａのゲインをＧ１とし、光増幅器３０１のゲインをＧ２とし、光増幅器３１１ａのゲインをＧ３とし、光増幅器３１３ｂのゲインをＧ４とする。また、ＷＳＳ３０２の損失をＬｗ１とし、ＷＳＳ３１２ａの損失をＬｗ２とし、伝送路９１の損失をＬｆとする。
【００６１】
光信号には、光増幅器３０３ａの通過によりパワーＰａ１のＡＳＥ１が重畳され、光増幅器３０１の通過によりパワーＰａ２のＡＳＥ２が重畳される。光信号には、さらに光増幅器３１１ａの通過によりパワーＰａ３のＡＳＥ３が重畳され、光増幅器３１３ｂの通過によりパワーＰａ４のＡＳＥ４が重畳される。なお、点線の丸印には、その丸印が示す箇所において、符号Ｇｒ１の示すスペクトル波形図中の側帯域Ｂｏｕｔに含まれるＡＳＥが示されている。
【００６２】
信号品質測定装置１は、符号Ｘに示されるように、伝送経路Ｒａの受信端の光信号、つまり受信器３１５ａに入力される光信号のＯＳＮＲを測定する。信号品質測定装置１は、光信号の該当チャネルについて、ＷＳＳ３０２の通過帯域Ｂｐｓ１とＷＳＳ３１２ａの通過帯域Ｂｐｓ２を、符号Ｇｒ１の示すスペクトル波形図中の広帯域Ｂｗとする。
【００６３】
符号Ｇｒ１には、受信器３１のモニタ部７１またはＯＣＭ７２で解析されるスペクトル波形（波長λに対するパワーの特性）が、ＷＳＳ３０２の通過帯域Ｂｐｓ１とＷＳＳ３１２ａの通過帯域Ｂｐｓ２とともに示されている。広帯域Ｂｗは、ネットワーク監視制御装置２により光信号の該当チャネルに割り当てられた帯域である。
【００６４】
狭帯域Ｂｉｎは、第１波長帯域の一例であり、光信号の中心波長λｓを含む所定の波長帯域である。また、側帯域Ｂｏｕｔは、第２波長帯域の一例であり、狭帯域Ｂｉｎの長波長側及び短波長側にそれぞれ隣接する所定の波長帯域である。狭帯域Ｂｉｎとその両側の側帯域Ｂｏｕｔの帯域幅の合計は、広帯域Ｂｗの帯域幅と等しい。つまり、広帯域Ｂｗは、狭帯域Ｂｉｎと側帯域Ｂｏｕｔを含む波長帯域となる。
【００６５】
狭帯域Ｂｉｎ内には、光信号の信号成分ＣｓとＡＳＥの光成分（以下、「ＡＳＥ成分」と表記）Ｃａが含まれている。また、各側帯域Ｂｏｕｔ内には、ＡＳＥ成分Ｃａが含まれている。
【００６６】
受信器３１５ａのモニタ部７１またはＯＣＭ７２は、光信号の中心波長λｓにおけるパワーＰｉｎ（以下、「中心パワー」と表記）と側帯域Ｂｏｕｔ内の波長λａにおけるパワーＰｏｕｔを測定する（以下、「側部パワー」と表記）。中心パワーＰｉｎは、光信号の中心波長λｓを含む狭帯域Ｂｉｎ内の光成分の第１パワーの一例であり、側部パワーＰｏｕｔは、狭帯域Ｂｉｎに隣接する側帯域Ｂｏｕｔ内の光成分の第２パワーの一例である。なお、波長λａは、狭帯域Ｂｉｎの長波長側の側帯域Ｂｏｕｔに設定されているが、狭帯域Ｂｉｎの短波長側の側帯域Ｂｏｕｔに設定されてもよい。波長λａは、例えば側帯域Ｂｏｕｔの中心に設定される。
【００６７】
信号品質測定装置１は、モニタ部７１またはＯＣＭ７２から中心パワーＰｉｎ及び側部パワーＰｏｕｔを取得することにより光信号のＯＳＮＲを算出する。信号品質測定装置１は、各ＷＳＳ３０２，３１２ａの通過帯域Ｂｐｓ１，Ｂｐｓ２を広帯域Ｂｗにそれぞれ設定するため、側帯域ＢｏｕｔのＡＳＥ１はＷＳＳ３０２を通過し、側帯域ＢｏｕｔのＡＳＥ１〜４はＷＳＳ３１２ａを通過する（「ＡＳＥ通過」参照）。このため、側部パワーＰｏｕｔは、全てのＡＳＥ１〜４を合わせたパワーＰａ１ｔｏ４となる。
【００６８】
また、中心パワーＰｉｎは、受信器３１５ａにおける光信号の信号成分のパワーＰｓと全てのＡＳＥ１〜４を合わせたパワーＰａ１ｔｏ４の合計となる。このため、光信号の信号成分のパワーＰｓは、中心パワーＰｉｎから側部パワーＰｏｕｔを減算した値となる。
【００６９】
ＯＳＮＲ＝Ｐｓ／Ｐａ１ｔｏ４＝Ｐｓ／Ｐｏｕｔ
＝（Ｐｉｎ−Ｐｏｕｔ）／Ｐｏｕｔ   ・・・（１）
【００７０】
したがって、信号品質測定装置１は、伝送経路Ｒａの受信端における光信号のＯＳＮＲを上記の式（１）により算出する。
【００７１】
このように、信号品質測定装置１は、ＷＳＳ３０２，３１２ａの各通過帯域を、狭帯域Ｂｉｎ及び側帯域Ｂｏｕｔを含む広帯域Ｂｗとすることにより、側部パワーＰｏｕｔからＡＳＥ１〜４を合わせたパワーＰａ１ｔｏ４を検出し、中心パワーＰｉｎ及び側部パワーＰｏｕｔから光信号のパワーＰｓを検出する。これにより、信号品質測定装置１は、受信器３１５ａに入力される光信号（つまり受信端の光信号）のＯＳＮＲを測定する。
【００７２】
図４は、伝送経路Ｒａの途中の光信号のＯＳＮＲの測定処理の一例を示す図である。図４において、図３と共通する符号の説明は省略する。符号Ｇｒ２には、受信器３１のモニタ部７１またはＯＣＭ７２で解析されるスペクトル波形が、ＷＳＳ３０２の通過帯域Ｂｐｓ１とＷＳＳ３１２ａの通過帯域Ｂｐｓ２とともに示されている。信号品質測定装置１は、符号Ｘで示されるように、ＷＳＳ３１２ａの出力端、つまり光増幅器３１３ｂの入力端における光信号のＯＳＮＲを測定する。
【００７３】
本例において、信号品質測定装置１は、光信号の該当チャネルについて、ＷＳＳ３１２ａの通過帯域Ｂｐｓ２を狭帯域Ｂｉｎに設定するため、側帯域Ｂｏｕｔに含まれるＡＳＥ１〜３はＷＳＳ３１２ａで除去される（「ＡＳＥ除去」参照）。このため、受信器３１５ａにおいて、側帯域ＢｏｕｔにはＡＳＥ４だけが含まれるので、側部パワーＰｏｕｔはＡＳＥ４のパワーＰａ４となる。
【００７４】
ＯＳＮＲ＝Ｐｓ／Ｐａ１ｔｏ４
＝Ｇ４・Ｐｓ４ｉｎ／（Ｇ４・Ｐａ４ｉｎ＋Ｐａ４） ・・・（２）
【００７５】
受信端（図３の符号Ｘ参照）におけるＯＳＮＲは、光増幅器３１３ｂの入力端における光信号のパワーＰｓ４ｉｎ及びＡＳＥのパワーＰａ４ｉｎを用いて、上記の式（２）で表される。ここで、受信端の光信号のパワーＰｓは、光増幅器３１３ｂの入力端における光信号のパワーＰｓ４ｉｎに光増幅器３１３ｂのゲインＧ４を乗算した値である。また、ＡＳＥ１〜４を合わせたパワーＰａ１ｔｏ４は、光増幅器３１３ｂの入力端におけるＡＳＥのパワーＰａ４ｉｎに光増幅器３１３ｂのゲインＧ４を乗算して得た値に、光増幅器３１３ｂのＡＳＥ４のパワーＰａ４を加算した値である。
【００７６】
ＯＳＮＲ＿４＝Ｐｓ４ｉｎ／Ｐａ４ｉｎ
＝（Ｇ４・Ｐｓ４ｉｎ）／（Ｇ４・Ｐａ４ｉｎ）
＝Ｐｓ／（Ｐａ１ｔｏ４−Ｐａ４）   ・・・（３）
【００７７】
したがって、光増幅器３１３ｂの入力端における光信号のＯＳＮＲをＯＳＮＲ＿４とすると、ＯＳＮＲ＿４は、式（２）に基づき上記の式（３）により表される。式（３）において、受信端の光信号のパワーＰｓとＡＳＥ１〜４を合わせたパワーＰａ１ｔｏ４は、図３に示される測定処理により得られる。
【００７８】
ＯＳＮＲ＿４＝Ｐｓ／（Ｐａ１ｔｏ４−Ｐｏｕｔ）  ・・・（４）
【００７９】
よって、信号品質測定装置１は、側部パワーＰｏｕｔから上記の式（４）によりＯＳＮＲ＿４を算出することができる。
【００８０】
このように、信号品質測定装置１は、ＷＳＳ３１２ａの通過帯域を狭帯域Ｂｉｎとすることにより、側部パワーＰｏｕｔから、ＷＳＳ３１２ａと受信器３１５ａの間の光増幅器３１３ｂのＡＳＥ４のパワーＰａ４を検出する。そして、信号品質測定装置１は、検出した各パワーＰｓ，Ｐａ１ｔｏ４，Ｐａ４からＯＳＮＲ＿４を算出する。
【００８１】
したがって、信号品質測定装置１は、受信器３１５ａにおいて測定された中心パワーＰｉｎ及び側部パワーＰｏｕｔを取得することにより、光増幅器３１３ｂの入力端における光信号のＯＳＮＲ（ＯＳＮＲ＿４）を測定することができる。
【００８２】
なお、本例において、信号品質測定装置１は、ＷＳＳ３０２の通過帯域Ｂｐｓ１を広帯域Ｂｗとしたが、側帯域ＢｏｕｔのＡＳＥ１〜３は後段のＷＳＳ３１２ａにおいて除去されるため、信号品質測定装置１は、通過帯域Ｂｐｓ１を狭帯域Ｂｉｎとしてもよい。
【００８３】
図５は、伝送経路Ｒａの途中の光信号のＯＳＮＲの測定処理の他の例を示す図である。図５において、図３と共通する符号の説明は省略する。符号Ｇｒ３には、受信器３１のモニタ部７１またはＯＣＭ７２で解析されるスペクトル波形が、ＷＳＳ３０２の通過帯域Ｂｐｓ１とＷＳＳ３１２ａの通過帯域Ｂｐｓ２とともに示されている。信号品質測定装置１は、符号Ｘで示されるように、ＷＳＳ３０２の出力端、つまり光増幅器３０１の入力端における光信号のＯＳＮＲを測定する。
【００８４】
本例において、信号品質測定装置１は、光信号の該当チャネルについて、ＷＳＳ３０２の通過帯域Ｂｐｓ１を狭帯域Ｂｉｎに設定するため、側帯域Ｂｏｕｔに含まれるＡＳＥ１はＷＳＳ３０２で除去される（「ＡＳＥ除去」参照）。また、信号品質測定装置１は、光信号の該当チャネルについて、ＷＳＳ３１２ａの通過帯域Ｂｐｓ２を広帯域Ｂｗに設定するため、側帯域Ｂｏｕｔに含まれるＡＳＥ２〜４はＷＳＳ３１２ａを通過する（「ＡＳＥ通過」参照）。このため、受信器３１５ａにおいて、側帯域ＢｏｕｔにはＡＳＥ２〜４だけが含まれるので、側部パワーＰｏｕｔはＡＳＥ２〜４を合わせたパワーＰａ２ｔｏ４となる。
【００８５】
ＯＳＮＲ＝Ｐｓ／Ｐａ１ｔｏ４
＝Ｇ２・Ｇ３・Ｇ４・Ｌｆ・Ｌｗ２・Ｐｓ２ｉｎ／（Ｇ２・Ｇ３・Ｇ４・Ｌｆ・Ｌｗ２・Ｐａ２ｉｎ＋Ｇ３・Ｇ４・Ｌｆ・Ｌｗ２・Ｐａ２＋Ｇ４・Ｐａ３＋Ｐａ４）
＝Ｇ２・Ｇ３・Ｇ４・Ｌｆ・Ｌｗ２・Ｐｓ２ｉｎ／（Ｇ２・Ｇ３・Ｇ４・Ｌｆ・Ｌｗ２・Ｐａ２ｉｎ＋Ｐａ２ｔｏ４）    ・・・（５）
【００８６】
光増幅器３０１の入力端の光信号のパワーをＰｓ２ｉｎとし、光増幅器３０１の入力端のＡＳＥのパワーをＰａ２ｉｎとすると、受信端の光信号のＯＳＮＲは、上記の式（５）により表される。ここで、受信端の光信号のパワーＰｓは、光増幅器３０１の入力端の光信号のパワーＰｓ２ｉｎに、光増幅器３０１，３１１ａ，３１３ｂのゲインＧ２〜Ｇ４、ＷＳＳ３１２ａの損失Ｌｗ２、伝送路９１の損失Ｌｆを乗算した値となる。
【００８７】
また、各ＡＳＥ１〜４の受信端でのパワーは、ＡＳＥ１〜４が通過する光増幅器３０１，３１１ａ，３１３ｂのゲインＧ２〜Ｇ４、ＷＳＳ３１２ａの損失Ｌｗ２、伝送路９１の損失Ｌｆを通過前のパワーＰａ１〜Ｐａ４に乗算した値となる。このため、光増幅器３０１の入力端のＡＳＥのパワーＰａ２ｉｎは、受信端において、光増幅器３０１，３１１ａ，３１３ｂのゲインＧ２〜Ｇ４、ＷＳＳ３１２ａの損失Ｌｗ２、伝送路９１の損失Ｌｆが乗算された値となる。
【００８８】
また、ＡＳＥ２のパワーＰａ２は、光増幅器３１１ａ，３１３ｂのゲインＧ３，Ｇ４、ＷＳＳ３１２ａの損失Ｌｗ２、伝送路９１の損失Ｌｆが乗算された値となり、ＡＳＥ３のパワーＰａ３は、光増幅器３１３ｂのゲインＧ４が乗算された値となる。なお、受信端でのＡＳＥ２〜３を合わせたパワーはＰａ２ｔｏ４となる。
【００８９】
ＯＳＮＲ＿２＝Ｐｓ２ｉｎ／Ｐａ２ｉｎ
＝（Ｇ２・Ｇ３・Ｇ４・Ｌｆ・Ｌｗ２・Ｐｓ２ｉｎ）／（Ｇ２・Ｇ３・Ｇ４・Ｌｆ・Ｌｗ２・Ｐａ２ｉｎ）
＝Ｐｓ／（Ｐａ１ｔｏ４−Ｐａ２ｔｏ４）  ・・・（６）
【００９０】
したがって、光増幅器３０１の入力端における光信号のＯＳＮＲをＯＳＮＲ＿２とすると、ＯＳＮＲ＿２は、式（５）に基づき上記の式（６）により表される。式（６）において、受信端の光信号のパワーＰｓとＡＳＥ１〜４を合わせたパワーＰａ１ｔｏ４は、図３に示される測定処理により得られる。
【００９１】
ＯＳＮＲ＿２＝Ｐｓ／（Ｐａ１ｔｏ４−Ｐｏｕｔ）  ・・・（７）
【００９２】
よって、信号品質測定装置１は、側部パワーＰｏｕｔから上記の式（７）によりＯＳＮＲ＿２を算出することができる。
【００９３】
このように、信号品質測定装置１は、ＷＳＳ３０２の通過帯域を狭帯域Ｂｉｎとすることにより、側部パワーＰｏｕｔから、ＷＳＳ３０２と受信器３１５ａの間の光増幅器３０１，３１１ａ，３１３ｂのＡＳＥ２〜４のパワーＰａ２ｔｏ４を検出する。このとき、信号品質測定装置１は、ＷＳＳ３０２と受信器３１５ａの間にＷＳＳ３１２ａが存在するため、光信号の該当チャネルについて、ＷＳＳ３１２ａの通過帯域を広帯域Ｂｗとする。
【００９４】
このため、ＷＳＳ３０２の後段の光増幅器３０１，３１１ａ，３１３ｂのＡＳＥ２〜４がＷＳＳ３１２ａを通過し受信器３１５ａに入力されるので、ＡＳＥ２〜４を合わせたパワーＰａ２ｔｏ４の検出が可能となる。そして、信号品質測定装置１は、検出した各パワーＰｓ，Ｐａ１ｔｏ４，Ｐａ２ｔｏ４からＯＳＮＲ＿２を算出する。
【００９５】
したがって、信号品質測定装置１は、受信器３１５ａにおいて測定された中心パワーＰｉｎ及び側部パワーＰｏｕｔを取得することにより、光増幅器３０１の入力端における光信号のＯＳＮＲ（ＯＳＮＲ＿２）を測定することができる。
【００９６】
このように、信号品質測定装置１は、受信器３１５ａで測定される中心パワーＰｉｎと側部パワーＰｏｕｔを取得することによりＯＳＮＲを測定する。このため、信号品質測定装置１は、伝送経路Ｒａ上の複数の箇所における光信号のＯＳＮＲを、各箇所に測定器を設置することなく、測定することができる。
【００９７】
また、信号品質測定装置１は、ＷＳＳ３０２，３１２ａを順次に選択し、その選択したＷＳＳ３０２，３１２ａの通過帯域を狭帯域Ｂｉｎとすることにより、各ＷＳＳ３０２，３１２ａの出力端（つまり光増幅器３０１，３１３ｂの入力端）におけるＯＳＮＲを算出する。このため、信号品質測定装置１は、伝送経路Ｒａ上の複数の箇所の光信号のＯＳＮＲを一連のシーケンスにより一度に測定することができる。
【００９８】
また、信号品質測定装置１は、式（３），（６）で示されるように、ＡＳＥ１〜４を合わせたパワーＰａ１ｔｏ４から、ＷＳＳ３０２またはＷＳＳ３１２ａと受信器３１５ａの間の光増幅器３０１，３１１ａ，３１３ｂのＡＳＥのパワーＰａ２ｔｏ４，Ｐａ４を減算し、その減算で得た値と光信号のパワーＰｓの比を算出する。このため、伝送経路Ｒａの複数の箇所の光信号のＯＳＮＲが高精度に算出される。
【００９９】
図６は、信号品質測定装置１の一例を示す構成図である。信号品質測定装置１は、ＣＰＵ１０、ＲＯＭ（Read Only Memory）１１、ＲＡＭ（Random Access Memory）１２、ＨＤＤ（Hard Disk Drive）１３、通信ポート１４、入力装置１５、及び出力装置１６を有する。ＣＰＵ１０は、互いに信号の入出力ができるように、ＲＯＭ１１、ＲＡＭ１２、ＨＤＤ１３、通信ポート１４、入力装置１５、及び出力装置１６と、バス１９を介して接続されている。
【０１００】
ＲＯＭ１１は、ＣＰＵ１０を駆動するプログラムが格納されている。ＲＡＭ１２は、ＣＰＵ１０のワーキングメモリとして機能する。通信ポート１４は、例えば無線ＬＡＮ（Local Area Network）カードやＮＩＣ（Network Interface Card）であり、各ＲＯＡＤＭ３０〜３２の装置制御部３００，３１０，３２０との通信を処理する。
【０１０１】
入力装置１５は、信号品質測定装置１に情報を入力する装置である。入力装置１５としては、例えばキーボード、マウス、及びタッチパネルなどが挙げられる。入力装置１５は、入力された情報を、バス１９を介しＣＰＵ１０に出力する。
【０１０２】
出力装置１６は、信号品質測定装置１の情報を出力する装置である。出力装置１６としては、例えばディスプレイ、タッチパネル、及びプリンタなどが挙げられる。出力装置１６は、ＣＰＵ１０からバス１９を介して情報を取得して出力する。
【０１０３】
ＣＰＵ１０は、ＲＯＭ１１からプログラムを読み込むと、機能として、測定制御部１００、測定指示受付部１０１、通過帯域設定部１０２、パワー取得部１０３と、ＯＳＮＲ算出部１０４、及び出力処理部１０５が形成される。また、ＨＤＤ１３には、信号経路データベース（信号経路ＤＢ）１３０及びＯＳＮＲデータベース（ＯＳＮＲ−ＤＢ）１３１が格納されている。
【０１０４】
測定制御部１００はＯＳＮＲの測定処理を制御する。測定制御部１００は、所定のシーケンスに従い、測定指示受付部１０１、通過帯域設定部１０２、パワー取得部１０３と、ＯＳＮＲ算出部１０４、及び出力処理部１０５に動作を指示する。
【０１０５】
測定指示受付部１０１は、例えば入力装置１５からＯＳＮＲの測定の指示を受け付ける。測定の指示には、例えば、測定対象の光信号の伝送区間の始点及び終点のノード＃１〜＃ｎの指定が含まれる。測定指示受付部１０１は、測定指示で指定された情報を測定制御部１００に出力する。
【０１０６】
測定制御部１００は、測定指示受付部１０１からの情報に基づき信号経路ＤＢ１３０から測定対象の光信号を検索する。信号経路ＤＢ１３０には、例えば、光信号の識別子（Ｓｘ，Ｓｙ，・・・）と、その中心波長（波長λｘ，λｙ，・・・）と、その伝送経路（経路）とが登録されている。測定制御部１００は、始点及び終点のノード＃１〜＃ｎの指定情報を信号経路ＤＢ１３０内の経路情報と比較することにより、測定対象の光信号を検索する。なお、経路情報には、例えば、伝送経路Ｒａ，Ｒｂ上のノード＃１〜＃ｎの送信器３０５，３１５ｂ、ＷＳＳ３０２，３１２ａ，３１２ｂ、光増幅器３０３ａ，３０１，３１１ａ，３１１ｂ，３２１，３２３ａと、受信器３１５ａ，３２５の各識別子が光信号の経由の順序に従って登録されている。
【０１０７】
測定制御部１００は、測定対象の光信号の波長情報及び経路情報を信号経路ＤＢ１３０から取得して、通過帯域設定部１０２、パワー取得部１０３、ＯＳＮＲ算出部１０４、及び出力処理部１０５に通知する。測定制御部１００は、通過帯域設定部１０２、パワー取得部１０３、及びＯＳＮＲ算出部１０４に動作を指示することにより、例えば、図３〜図５を参照して述べたような測定処理を実行する。
【０１０８】
通過帯域設定部１０２は、設定処理部の一例であり、ＷＳＳ３０２，３１２ａ，３１２ｂの各通過帯域を設定する。より具体的には、通過帯域設定部１０２は、通信ポート１４を介してネットワーク監視制御装置２と通信することにより、測定対象の光信号の波長に割り当てられたチャネルを検索し、そのチャンネルの通過帯域を設定する。
【０１０９】
パワー取得部１０３は、通信ポート１４を介して伝送経路Ｒａ，Ｒｂの受信器３１５ａ，３２５から中心パワーＰｉｎと側部パワーＰｏｕｔを取得して測定制御部１００に出力する。測定制御部１００は、中心パワーＰｉｎと側部パワーＰｏｕｔをＯＳＮＲ算出部１０４に通知する。これにより、ＯＳＮＲ算出部１０４は、中心パワーＰｉｎと側部パワーＰｏｕｔを取得する。
【０１１０】
ＯＳＮＲ算出部１０４は、算出部の一例であり、中心パワーＰｉｎと側部パワーＰｏｕｔを取得することにより光信号のＯＳＮＲを算出する。ＯＳＮＲ算出部１０４は、通過帯域設定部１０２による通過帯域の設定に応じて光信号のパワー及びＡＳＥ１〜４のパワーを検出する。
【０１１１】
図３の測定処理において、ＯＳＮＲ算出部１０４は、通過帯域設定部１０２がＷＳＳ３０２，３１２ａの各通過帯域を、狭帯域Ｂｉｎ及び側帯域Ｂｏｕｔを含む広帯域Ｂｗとすることにより、側部パワーＰｏｕｔからＡＳＥ１〜４を合わせたパワーＰａ１ｔｏ４を検出し、中心パワーＰｉｎ及び側部パワーＰｏｕｔから光信号のパワーＰｓを検出する。これにより、ＯＳＮＲ算出部１０４は、受信器３１５ａに入力される光信号（つまり受信端の光信号）のＯＳＮＲを算出する。
【０１１２】
また、図４の測定処理において、ＯＳＮＲ算出部１０４は、通過帯域設定部１０２がＷＳＳ３１２ａの通過帯域を狭帯域Ｂｉｎとすることにより、側部パワーＰｏｕｔから、ＷＳＳ３１２ａと受信器３１５ａの間の光増幅器３１３ｂのＡＳＥ４のパワーＰａ４を検出する。そして、ＯＳＮＲ算出部１０４は、検出した各パワーＰｓ，Ｐａ１ｔｏ４，Ｐａ４からＯＳＮＲ＿４を算出する。
【０１１３】
したがって、ＯＳＮＲ算出部１０４は、受信器３１５ａにおいて測定された中心パワーＰｉｎ及び側部パワーＰｏｕｔを取得することにより、光増幅器３１３ｂの入力端における光信号のＯＳＮＲ（ＯＳＮＲ＿４）を算出することができる。
【０１１４】
また、図５の測定処理において、ＯＳＮＲ算出部１０４は、通過帯域設定部１０２がＷＳＳ３０２の通過帯域を狭帯域Ｂｉｎとすることにより、側部パワーＰｏｕｔから、ＷＳＳ３０２と受信器３１５ａの間の光増幅器３０１，３１１ａ，３１３ｂのＡＳＥ２〜４のパワーＰａ２ｔｏ４を検出する。このとき、通過帯域設定部１０２は、ＷＳＳ３０２と受信器３１５ａの間にＷＳＳ３１２ａが存在するため、光信号の該当チャネルについて、ＷＳＳ３１２ａの通過帯域を広帯域Ｂｗとする。
【０１１５】
すなわち、通過帯域設定部１０２は、ＷＳＳ３０２，３１２ａ，３１２ｂ，３２２の１つの通過帯域を狭帯域Ｂｉｎとしたとき、そのＷＳＳと受信器３１５ａ，３２５の間に他のＷＳＳが存在する場合、他のＷＳＳの通過帯域を、広帯域Ｂｗとする。このため、ＷＳＳ３０２の後段の光増幅器３０１，３１１ａ，３１３ｂのＡＳＥ２〜４がＷＳＳ３１２ａを通過し受信器３１５ａに入力されるので、ＡＳＥ２〜４を合わせたパワーＰａ２ｔｏ４の検出が可能となる。そして、ＯＳＮＲ算出部１０４は、検出した各パワーＰｓ，Ｐａ１ｔｏ４，Ｐａ２ｔｏ４からＯＳＮＲ＿２を算出する。
【０１１６】
したがって、ＯＳＮＲ算出部１０４は、受信器３１５ａにおいて測定された中心パワーＰｉｎ及び側部パワーＰｏｕｔを取得することにより、光増幅器３０１の入力端における光信号のＯＳＮＲ（ＯＳＮＲ＿２）を算出することができる。
【０１１７】
また、ＯＳＮＲ算出部１０４は、通過帯域設定部１０２がＷＳＳ３０２，３１２ａを順次に選択し、その選択したＷＳＳ３０２，３１２ａの通過帯域を狭帯域Ｂｉｎとすることにより、各ＷＳＳ３０２，３１２ａの出力端（つまり光増幅器３０１，３１３ｂの入力端）におけるＯＳＮＲを算出する。このため、信号品質測定装置１は、伝送経路Ｒａ上の複数の箇所の光信号のＯＳＮＲを一連のシーケンスにより一度に測定することができる。
【０１１８】
また、ＯＳＮＲ算出部１０４は、式（３），（６）で示されるように、ＡＳＥ１〜４を合わせたパワーＰａ１ｔｏ４から、ＷＳＳ３０２またはＷＳＳ３１２ａと受信器３１５ａの間の光増幅器３０１，３１１ａ，３１３ｂのＡＳＥのパワーＰａ２ｔｏ４，Ｐａ４を減算し、その減算で得た値と光信号のパワーＰｓの比を算出する。このため、伝送経路Ｒａの複数の箇所の光信号のＯＳＮＲが高精度に算出される。
【０１１９】
また、ＯＳＮＲ算出部１０４は、送信器３０５，３１５ａ、ＷＳＳ３０２，３１２ａ，３１２ｂ，３２２、及び受信器３１５ａ，３２５により区切られる区間ごとに光信号のＯＳＮＲを算出し、その区間ごとの光信号のＯＳＮＲから雑音指数ＮＦを算出する。
【０１２０】
ＯＳＮＲ＿Ａ＝ＯＳＮＲ＿２     ・・・（８）
ＯＳＮＲ＿Ｂ＝（ＯＳＮＲ＿４−１−ＯＳＮＲ＿２−１）−１  ・・・（９）
ＯＳＮＲ＿Ｃ＝（ＯＳＮＲ−１−ＯＳＮＲ＿４−１）−１  ・・・（１０）
【０１２１】
伝送経路Ｒａの場合、送信器３０５から光増幅器３０１の入力端までの区間のＯＳＮＲをＯＳＮＲ＿Ａとすると、ＯＳＮＲ＿Ａは上記の式（８）により算出される。また、光増幅器３０１の入力端から光増幅器３１３ｂの入力端までの区間のＯＳＮＲをＯＳＮＲ＿Ｂとすると、ＯＳＮＲ＿Ｂは上記の式（９）により算出される。また、光増幅器３１３ｂの入力端から受信器３１５ａまでの区間のＯＳＮＲをＯＳＮＲ＿Ｃとすると、ＯＳＮＲ＿Ｃは上記の式（１０）により算出される。なお、式（１０）中のＯＳＮＲは、伝送経路Ｒａの受信端における光信号のＯＳＮＲである。
【０１２２】
ＯＳＮＲ＝（Ｇ・Ｐｘ）／（Ｇ／ＮＦ・ｈνΔｆ）
＝Ｐｘ／ＮＦ・ｈνΔｆ    ・・・（１１）
【０１２３】
また、ＯＳＮＲは、一般的に上記の式（１１）により表される。式（１１）において、Ｇは区間のゲインであり、Ｐｘは区間の光信号の入力パワーである。また、ｈはプランク定数であり、νは光信号の周波数であり、Δｆは側帯域Ｂｏｕｔである。
【０１２４】
したがって、信号品質測定装置１は、入力パワーＰｘを測定したうえで、式（８）〜（１０）により各区間のＯＳＮＲを算出すれば、式（１１）から区間ごとの雑音指数ＮＦを算出することができる。信号品質測定装置１は、雑音指数ＮＦを算出することにより、ネットワーク設計の精度をより向上することができる。
【０１２５】
ＯＳＮＲ算出部１０４は、ＯＳＮＲを測定するたびにＯＳＮＲ−ＤＢ１３１にＯＳＮＲを記録する。ＯＳＮＲ−ＤＢ１３１には、例えば、光信号の識別子と、その中心波長（波長）と、伝送経路Ｒａ上の位置ごとのＯＳＮＲが登録されている。測定制御部１００は、伝送経路Ｒａの全ての箇所におけるＯＳＮＲの測定が終了すると、出力処理部１０５にＯＳＮＲ−ＤＢ１３１の内容を出力装置１６に出力させる。
【０１２６】
図７は、信号品質測定方法の一例を示すフローチャートである。信号品質測定方法は、信号品質測定装置１により実行される。
【０１２７】
測定指示受付部１０１は、入力装置１５から測定指示を受け付ける（ステップＳｔ１）。次に、測定制御部１００は、信号経路ＤＢ１３０から測定対象の光信号を検索する（ステップＳｔ２）。以降のステップＳｔ３〜Ｓｔ６は、図３に示された測定処理に該当する。
【０１２８】
通過帯域設定部１０２は、各ＷＳＳ３０２，３１２ａの通過帯域を広帯域Ｂｗに設定する（ステップＳｔ３）。次に、パワー取得部１０３は、受信器３１５ａから中心パワーＰｉｎと側部パワーＰｏｕｔを取得する（ステップＳｔ４）。次に、ＯＳＮＲ算出部１０４は、中心パワーＰｉｎ及び側部パワーＰｏｕｔから光信号のパワーＰｓとＡＳＥのパワーＰａ１ｔｏ４を検出する（ステップＳｔ５）。次に、ＯＳＮＲ算出部１０４は、伝送経路Ｒａの受信端の光信号のＯＳＮＲを算出する（ステップＳｔ６）。
【０１２９】
次に、測定制御部１００は、伝送経路Ｒａにおいて受信器３１５ａに最も近いＷＳＳ３１２ａを選択する（ステップＳｔ７）。以降のステップＳｔ８〜Ｓｔ１２は、図４及び図５に示された測定処理に該当する。伝送経路Ｒａの場合、ステップＳｔ８〜Ｓｔ１２の各処理は２回実行され、１回目の処理は図４の測定処理に該当し、２回目の処理は図５の処理に該当するが、図５の測定処理が図４の測定処理より先に実行されてもよい。
【０１３０】
通過帯域設定部１０２は、選択したＷＳＳ３１２ａの通過帯域を狭帯域Ｂｉｎに設定する（ステップＳｔ８）。次に、パワー取得部１０３は、受信器３１５ａから側部パワーＰｏｕｔを取得する（ステップＳｔ９）。次に、ＯＳＮＲ算出部１０４は、側部パワーＰｏｕｔからＡＳＥのパワーＰａ４を検出する（ステップＳｔ１０）。次に、ＯＳＮＲ算出部１０４は、伝送経路Ｒａの光増幅器３１３ｂの入力端の光信号のＯＳＮＲ＿２を算出する（ステップＳｔ１１）。
【０１３１】
次に、通過帯域設定部１０２は、選択したＷＳＳ３１２ａの通過帯域を広帯域Ｂｗに設定する（ステップＳｔ１２）。次に、測定制御部１００は、伝送経路Ｒａの全てのＷＳＳ３０２，３１２ａを選択したか否かを判定する（ステップＳｔ１３）。
【０１３２】
測定制御部１００は、未選択のＷＳＳ３０２が存在する場合（ステップＳｔ１３のＮｏ）、選択したＷＳＳ３１２ａの次に受信器３１５ａに近いＷＳＳ３０２を選択する（ステップＳｔ１５）。
【０１３３】
通過帯域設定部１０２は、選択したＷＳＳ３０２の通過帯域を狭帯域Ｂｉｎに設定する（ステップＳｔ８）。次に、パワー取得部１０３は、受信器３１５ａから側部パワーＰｏｕｔを取得する（ステップＳｔ９）。次に、ＯＳＮＲ算出部１０４は、側部パワーＰｏｕｔからＡＳＥのパワーＰａ２ｔｏ４を検出する（ステップＳｔ１０）。次に、ＯＳＮＲ算出部１０４は、伝送経路Ｒａの光増幅器３０１の入力端の光信号のＯＳＮＲ＿４を算出する（ステップＳｔ１１）。なお、ＯＳＮＲ算出部１０４は、ＯＳＮＲを算出するたびに、伝送経路Ｒａ上の該当箇所を示す位置情報とともにＯＳＮＲ−ＤＢ１３１に登録する。
【０１３４】
測定制御部１００は、伝送経路Ｒａ上の全てのＷＳＳ３０２，３１２ａが選択済みである場合（ステップＳｔ１３のＹｅｓ）、出力処理部１０５に、ＯＳＮＲ−ＤＢ１３１の情報を出力処理部１０５に出力させる（ステップＳｔ１４）。出力されたＯＳＮＲの情報は例えばネットワーク設計に用いられる。このようにして、信号品質測定方法は実行される。
【０１３５】
次に、通過帯域設定部１０２の通過帯域の設定について述べる。
【０１３６】
図８は、ＷＳＳ３０２，３１２ａ，３１２ｂ，３２２の通過帯域の設定の例を示すスペクトル波形図である。図８において、図３〜図４と共通するパラメータには同一の符号を付し、その説明は省略する。図８には、測定対象の光信号のチャネルＣＨｉ（ｉ：正の整数）のスペクトル波形とその長波長側及び短波長側の隣接チャネルＣＨｉ−１，ＣＨｉ＋１のスペクトル波形が示されている。
【０１３７】
符号Ｇａには、隣接チャネルＣＨｉ−１，ＣＨｉ＋１に他の光信号が収容されている場合のスペクトル波形図が示されている。通過帯域設定部１０２は、チャネルＣＨｉの測定対象の光信号が劣化しないように、狭帯域Ｂｉｎを光信号の帯域幅Ｂｓに対して十分に大きく設定することが望ましい。すなわち、狭帯域Ｂｉｎを光信号の帯域幅Ｂｓについて、Ｂｉｎ≫Ｂｓが成立する。
【０１３８】
また、符号Ｇｂには、チャネルＣＨｉの光信号の帯域幅Ｂｓが大きく、チャネルＣＨｉに割り当てられた広帯域Ｂｗとの差が小さい場合のスペクトル波形図が示されている。この場合、通過帯域設定部１０２は、ＡＳＥを除去するために十分な大きさの側帯域Ｂｏｕｔを確保することができないため、測定制御部１００は、始点ノード＃１〜＃ｎ及び終点ノード＃１〜＃ｎが測定対象の光信号と同じ別の光信号のＯＳＮＲの測定を指示してもよい。
【０１３９】
また、符号Ｇｃは、測定対象の光信号のチャネルＣＨｉの隣接チャネルＣＨｉ−１，ＣＨｉ＋１に他の光信号が収容されていない場合のスペクトル波形図が示されている。この場合、通過帯域設定部１０２は、広帯域Ｂｗを、チャネルＣＨｉに割り当てられた帯域だけでなく、隣接チャネルＣＨｉ−１，ＣＨｉ＋１に割り当てられた帯域まで拡張してもよい。なお、ＡＳＥのパワーが正常に検出可能であれば、広帯域Ｂｗの範囲に限定はない。
【０１４０】
また、信号品質測定装置１は、測定対象の光信号として、ＣＷ光を用いてもよい。
【０１４１】
図９は、ＣＷ光を用いた場合のスペクトル波形図である。符号Ｇｒ１’は、図３の符号Ｇｒ１で示されたスペクトル波形図に対応し、符号Ｇｒ２’は、図４の符号Ｇｒ２で示されたスペクトル波形図に対応し、符号Ｇｒ３’は、図５の符号Ｇｒ３で示されたスペクトル波形図に対応する。
【０１４２】
送信器３０５，３１５ｂは、動作モードとして、ＯＳＮＲを測定するための試験モードと、通常の運用を行うための運用モードを有してもよい。送信器３０５，３１５ｂは、試験モードではＣＷ光を送信し、運用モードでは通常の光信号を送信する。信号品質測定装置１の測定制御部１００は、ＯＳＮＲの測定時、送信器３０５，３１５ｂの動作モードを試験モードに切り替える。
【０１４３】
符号Ｇｒ１’〜Ｇｒ３’に示されるように、ＣＷ光の光成分Ｃｓ’の帯域幅は通常の光信号より細いため、側帯域ＢｏｕｔにおけるＡＳＥのパワーの検出が容易となる。
【０１４４】
上述した実施形態は本発明の好適な実施の例である。但し、これに限定されるものではなく、本発明の要旨を逸脱しない範囲内において種々変形実施可能である。
【０１４５】
なお、以上の説明に関して更に以下の付記を開示する。
（付記１）  送信器から送信され複数の波長選択スイッチ及び複数の光増幅器を通過して受信器で受信される光信号の品質を測定する信号品質測定装置において、
前記複数の波長選択スイッチの各通過帯域を設定する設定処理部と、
前記受信器により受信された前記光信号の中心波長を含む第１波長帯域内の光成分の第１パワーと前記第１波長帯域に隣接する第２波長帯域内の光成分の第２パワーとを取得することにより前記光信号の品質を算出する算出部とを有し、
前記算出部は、
前記設定処理部が前記複数の波長選択スイッチの各通過帯域を、前記第１波長帯域及び前記第２波長帯域を含む波長帯域とすることにより、前記第２パワーから前記複数の光増幅器の各々の自然放出光を合わせたパワーを検出し、前記第１パワー及び前記第２パワーから前記光信号のパワーを検出し、
前記設定処理部が、前記複数の波長選択スイッチの１つの通過帯域を前記第１波長帯域とすることにより、前記第２パワーから、前記複数の光増幅器のうち、前記複数の波長選択スイッチの１つと前記受信器の間の１以上の光増幅器の自然放出光のパワーを検出し、
該検出した各パワーから前記光信号の品質を算出することを特徴とする信号品質測定装置。
（付記２）  前記設定処理部は、前記複数の波長選択スイッチの１つの通過帯域を前記第１波長帯域としたとき、前記複数の波長選択スイッチの１つと前記受信器の間に他の波長選択スイッチが存在する場合、前記他の波長選択スイッチの通過帯域を、前記第１波長帯域及び前記第２波長帯域を含む波長帯域とすることを特徴とする付記１に記載の信号品質測定装置。
（付記３）  前記算出部は、前記設定処理部が、前記複数の波長選択スイッチの１つを順次に選択し、該選択した前記複数の波長選択スイッチの１つの通過帯域を前記第１波長帯域とすることにより、前記複数の波長選択スイッチの各々の出力端における前記光信号の品質を算出することを特徴とする付記１または２に記載の信号品質測定装置。
（付記４）  前記算出部は、前記複数の光増幅器の各々の自然放出光を合わせたパワーから、前記複数の波長選択スイッチの１つと前記受信器の間の前記１以上の光増幅器の自然放出光のパワーを減算し、該減算で得た値と前記光信号のパワーの比を算出することを特徴とする付記１乃至３の何れかに記載の信号品質測定装置。
（付記５）  前記算出部は、前記送信器、前記複数の波長選択スイッチ、及び前記受信器により区切られる区間ごとに前記光信号の品質を算出し、前記区間ごとの前記光信号の品質から雑音指数を算出することを特徴とする付記１乃至４の何れかに記載の信号品質測定装置。
（付記６）  前記光信号はＣＷ光であることを特徴とする付記１乃至５の何れかに記載の信号品質測定装置。
（付記７）  送信器から送信され複数の波長選択スイッチ及び複数の光増幅器を通過して受信器で受信される光信号の品質を測定する信号品質測定方法において、
前記受信器により受信された前記光信号の中心波長を含む第１波長帯域内の光成分の第１パワーと前記第１波長帯域に隣接する第２波長帯域内の光成分の第２パワーを取得し、
前記複数の波長選択スイッチの各通過帯域を、前記第１波長帯域及び前記第２波長帯域を含む波長帯域とすることにより、前記第２パワーから前記複数の光増幅器の各々の自然放出光を合わせたパワーを検出し、前記第１パワー及び前記第２パワーから前記光信号のパワーを検出し、
前記複数の波長選択スイッチの１つの通過帯域を前記第１波長帯域とすることにより、前記第２パワーから、前記複数の光増幅器のうち、前記複数の波長選択スイッチの１つと前記受信器の間の１以上の光増幅器の自然放出光のパワーを検出し、
該検出した各パワーから前記光信号の品質を算出することを特徴とする信号品質測定方法。
（付記８）  前記複数の波長選択スイッチの１つの通過帯域を前記第１波長帯域としたとき、前記複数の波長選択スイッチの１つと前記受信器の間に他の波長選択スイッチが存在する場合、前記他の波長選択スイッチの通過帯域を、前記第１波長帯域及び前記第２波長帯域を含む波長帯域とすることを特徴とする付記７に記載の信号品質測定方法。
（付記９）  前記複数の波長選択スイッチの１つを順次に選択し、該選択した前記複数の波長選択スイッチの１つの通過帯域を前記第１波長帯域とすることにより、前記複数の波長選択スイッチの各々の出力端における前記光信号の品質を算出することを特徴とする付記７または８に記載の信号品質測定方法。
（付記１０）  前記複数の光増幅器の各々の自然放出光を合わせたパワーから、前記複数の波長選択スイッチの１つと前記受信器の間の前記１以上の光増幅器の自然放出光のパワーを減算し、該減算で得た値と前記光信号のパワーの比を算出することを特徴とする付記７乃至９の何れかに記載の信号品質測定方法。
（付記１１）  前記送信器、前記複数の波長選択スイッチ、及び前記受信器により区切られる区間ごとに前記光信号の品質を算出し、前記区間ごとの前記光信号の品質から雑音指数を算出することを特徴とする付記７乃至１０の何れかに記載の信号品質測定方法。
（付記１２）  前記光信号はＣＷ光であることを特徴とする付記７乃至１１の何れかに記載の信号品質測定方法。
【符号の説明】
【０１４６】
１       信号品質測定装置
３０〜３２      ＲＯＡＤＭ
９１       伝送路
１０２      通過帯域設定部
１０３      パワー取得部
１０４      ＯＳＮＲ算出部
３０５，３１５ｂ     送信器
３１５ａ，３２５     受信器
３０２，３１２ａ，３１２ｂ，３２２   波長選択スイッチ
３０３ａ，３０１，３１１ａ，３１３ａ〜３１３ｄ 光増幅器
３１１ｂ，３２１，３２３ａ，３２３ｂ   光増幅器
【図１】
2018170562.tif 000003
【図２】
2018170562.tif 000004
【図３】
2018170562.tif 000005
【図４】
2018170562.tif 000006
【図５】
2018170562.tif 000007
【図６】
2018170562.tif 000008
【図７】
2018170562.tif 000009
【図８】
2018170562.tif 000010
【図９】
2018170562.tif 000011